(57)【要約】 【課題】隔離スイッチによりカメラシャッターレリーズケーブル信号を拡充及び制御する装置の提供。【解決手段】本発明は、一般に、カメラシャッターレリーズケーブルの単一ショート信号を、良好な隔離、良好な安定性、及び十分な電圧レベルを有する複合ショート信号に、複数の隔離スイッチ、たとえばリレー或いはホトカプラを介して拡充でき、それにより、同時に並列に接続された複数のカメラをアクティベートして、フォーカス及びスナップできるようにする装置に係り、さらに詳しくは、個別に、部分的に、或いは一緒に、拡充された複合ショート信号と接続されたカメラを、コンピュータ、ユニバーサルシリアルバス（以下、ＵＳＢと称する）及び中央処理装置（以下、ＣＰＵと称する）により制御することで、同時に並列に接続されたカメラを同時にアクティベートして急速にフォーカス及びスナップできるようにする装置に関する。加えて、本発明の装置は、平行な複数の制御基板に接続することで、より多くのカメラを制御できる。【選択図】図６
2014041258.tif 000002
【特許請求の範囲】
【請求項１】
隔離スイッチによりカメラシャッターレリーズケーブル信号を拡充する装置において、  第１制御基板であって、
入力シャッターレリーズジャックと、
複数の出力シャッターレリーズジャックと、
複数の隔離スイッチであって、該入力シャッターレリーズジャックと該出力シャッターレリーズジャックの間に接続された複数の隔離スイッチと、
該隔離スイッチに電力を提供するＤＣ入力と、
を包含する上記第１制御基板と、
該ＤＣ入力を提供する電源と、
単一ショート信号であって、該入力シャッターレリーズジャックを介して該隔離スイッチに伝送されて該隔離スイッチをアクティベートし、これにより複合ショート信号へと拡充され、及び該複合ショート信号は該出力シャッターレリーズジャックを介して出力され、これにより並列に接続された全てのカメラが同時にアクティベートされる、上記単一ショート信号と、
を包含することを特徴とする、隔離スイッチによりカメラシャッターレリーズケーブル信号を拡充する装置。
【請求項２】
請求項１記載の隔離スイッチによりカメラシャッターレリーズケーブル信号を拡充する装置において、該隔離スイッチはリレー或いはホトカプラーとされることを特徴とする、隔離スイッチによりカメラシャッターレリーズケーブル信号を拡充する装置。
【請求項３】
請求項１記載の隔離スイッチによりカメラシャッターレリーズケーブル信号を拡充する装置において、該単一ショート信号は、手動ボタン、制御装置或いはコンピュータにより生成されることを特徴とする、隔離スイッチによりカメラシャッターレリーズケーブル信号を拡充する装置。
【請求項４】
請求項１記載の隔離スイッチによりカメラシャッターレリーズケーブル信号を拡充する装置において、該第１制御基板と同じ複数の第２制御基板をさらに包含し、該第２制御基板は、並列に、第１制御基板に、該出力シャッターレリーズジャックを介して接続され、該電源は該ＤＣ入力を、該第１制御基板及び各該第２制御基板に提供し、該単一ショート信号は該第１制御基板に入力され、該第１制御基板の該出力シャッターレリーズジャックを介して出力される該複合ショート信号は、該第２制御基板の隔離スイッチにより複数の複合ショート信号に拡充され、これにより該第２制御基板の出力シャッターレリーズジャックに接続された全てのカメラを同時にアクティベートすることを特徴とする、隔離スイッチによりカメラシャッターレリーズケーブル信号を拡充する装置。
【請求項５】
隔離スイッチによりカメラシャッターレリーズケーブル信号を拡充する装置において、  制御基板であって、
ＣＰＵと、
複数の出力シャッターレリーズジャックと、
該ＣＰＵと該出力シャッターレリーズジャックの間に接続された複数の隔離スイッチと、
該ＣＰＵに接続されたＵＳＢ  ＩＣと、
電力を該隔離スイッチ、ＵＳＢ  ＩＣ及びＣＰＵに提供するＤＣ入力と、
を包含する上記制御基板と、
該ＤＣ入力を提供する電源と、
コンピュータであって、該ＵＳＢ  ＩＣに、ＵＳＢケーブルを介して接続され、該ＣＰＵにコンピュータ命令を出力でき、そのうち、該ＣＰＵは該コンピュータ命令を、少なくとも一つの制御信号に変換し、こうして少なくとも一つの隔離スイッチをアクティベートして、単一或いは複合ショート信号を形成し、該単一或いは複合ショート信号は少なくとも一つの該出力シャッターレリーズジャックを介して出力され、これにより並列に接続されたカメラを個別に、部分的に、或いは一緒にアクティベートする、上記コンピュータと、
を包含することを特徴とする、隔離スイッチによりカメラシャッターレリーズケーブル信号を拡充する装置。
【請求項６】
請求項５記載の隔離スイッチによりカメラシャッターレリーズケーブル信号を拡充する装置において、そのうち該制御基板は、さらに、入力シャッターレリーズジャックを包含し、単一ショート信号は該入力シャッターレリーズジャックに入力されて該隔離スイッチをアクティベートでき、こうして該複合ショート信号へと拡充され、及び、該複合ショート信号は該出力シャッターレリーズジャックを介して出力されて、並列に接続された全てのカメラを同時にアクティベートできることを特徴とする、隔離スイッチによりカメラシャッターレリーズケーブル信号を拡充する装置。
【請求項７】
請求項５記載の隔離スイッチによりカメラシャッターレリーズケーブル信号を拡充する装置において、該コンピュータは、別のＣＰＵを具えたコントローラーとされ、該ＵＳＢ  ＩＣは、ＩＥＥＥ  １３９４コントロールＩＣ或いはＲＳ２３２コントロールＩＣとされることを特徴とする、隔離スイッチによりカメラシャッターレリーズケーブル信号を拡充する装置。
【請求項８】
請求項５記載の隔離スイッチによりカメラシャッターレリーズケーブル信号を拡充する装置において、該制御基板は複数設けられ、各該制御基板は、ＩＤ制御ユニットと、ＵＳＢケーブルを介して該コンピュータと並列に接続された複数の該制御基板を識別するために該ＩＤ制御ユニットに設けられたＩＤコードをさらに包含することを特徴とする、隔離スイッチによりカメラシャッターレリーズケーブル信号を拡充する装置。
【請求項９】
請求項８記載の隔離スイッチによりカメラシャッターレリーズケーブル信号を拡充する装置において、これら制御基板は、該コンピュータとＵＳＢケーブルを介して直接に、或いはＵＳＢハブで並列に接続され、及び該コンピュータは該コンピュータ命令を、該ＩＤコードにより選択された少なくとも一つの該制御基板に出力し、これにより選択された少なくとも一つの制御基板内のＣＰＵをイネーブルして該コンピュータ命令を少なくとも一つの制御信号へと変換して少なくとも一つの隔離スイッチをアクティベートして該単一或いは複合ショート信号を形成し、該単一或いは複合ショート信号は、選択された少なくとも一つの該制御基板内の少なくとも一つの該出力シャッターレリーズジャックを介して出力され、これにより該選択された制御基板に接続されたカメラを、個別に、部分的に、或いは一緒にアクティベートすることを特徴とする、隔離スイッチによりカメラシャッターレリーズケーブル信号を拡充する装置。
【発明の詳細な説明】
【技術分野】
【０００１】
本発明は、一般に、カメラシャッターレリーズケーブルの単一ショート信号を、良好な隔離、良好な安定性、及び十分な電圧レベルを有する複合ショート信号に、複数の隔離スイッチ、たとえばリレー或いはホトカプラを介して拡充でき、それにより、同時に並列に接続された複数のカメラをアクティベートして、フォーカス及びスナップできるようにする装置に係り、さらに詳しくは、個別に、部分的に、或いは一緒に、拡充された複合ショート信号と接続されたカメラを、コンピュータ、ユニバーサルシリアルバス（以下、ＵＳＢと称する）及び中央処理装置（以下、ＣＰＵと称する）により制御することで、同時に並列に接続されたカメラを同時にアクティベートして急速にフォーカス及びスナップできるようにする装置に関する。加えて、本発明の装置は、平行な複数の制御基板に接続することで、より多くのカメラを制御できる。
【背景技術】
【０００２】
図１に示されるように、関係技術において、コンピュータ１は通常、ＵＳＢケーブル２を介して単一のカメラ３を制御してフォーカス及びスナップする。これに対して、図２に示されるように複数のカメラを制御してフォーカス及びスナップし、コンピュータ４は通常、先ずＵＳＢケーブル５を介してＵＳＢハブ６に接続され、それから、さらに、複数のＵＳＢケーブル７、８、９、１０を介して複数のカメラ１１、１２、１３、１４に並列接続され、これにより、異なるカメラを代表する識別番号（以下、ＩＤと称する）とカメラ製造者により提供されたソフトウエアディベロッパーキット（ｓｏｆｔｗａｒｅ  ｄｅｖｅｌｏｐｅｒ'ｓ  ｋｉｔ，ＳＤＫ）により、順番に各カメラをそれぞれ制御する。しかしながら、図２に示される制御方法は、互いに接続された複数のカメラを同時にアクティベートして急速にフォーカス及びスナップすることはできない。
【０００３】
図３に示される、単一カメラ１７を制御してフォーカス及びスナップする別のアプローチは、カメラシャッターレリーズケーブル１６を使用することで実施される。このアプローチにおいて、使用者は手動ボタン１５を押し下げることで、直接的にカメラ１７を制御できる。図４に示されるように、コンタクトＡは、手動ボタン１５のコモンポイントであり、ゆえに使用者が手動ボタン内のコンタクトＡ及びＢをショートアウトするために、手動ボタンを軽く押し下げる限りフォーカスでき、使用者が続けて手動ボタンを押し続けて、全てのコンタクトＡ、Ｂ及びＣをショートアウトする限り、スナップできる。
【発明の概要】
【発明が解決しようとする課題】
【０００４】
本発明の目的は、カメラシャッターレリーズケーブルを介して提供される単一ショート信号により複数のカメラを同時に制御して素早くスナップし、これにより球形３Ｄイメージを製作及び構成するために必要な時間を著しく減らし、球形３Ｄイメージアプリケーションを容易にして広く商業において利用できるようにすることにあり、前述の単一ショート信号は、別の制御装置、或いはコンピュータ命令手動ボタンにより生成される。
【０００５】
本発明はまた、単一ショート信号を、良好な隔離、良好な安定性、及び十分な電圧レベルを有する複合ショート信号へと拡充し、それにより複数のカメラを制御して同時にフォーカス及びスナップできるようにすることにある。さらに、本発明は個別に、部分的に、或いは一緒に、該複合ショート信号とそれに接続されるカメラを同様に制御できる。
【課題を解決するための手段】
【０００６】
請求項１の発明は、隔離スイッチによりカメラシャッターレリーズケーブル信号を拡充する装置において、
第１制御基板であって、
入力シャッターレリーズジャックと、
複数の出力シャッターレリーズジャックと、
複数の隔離スイッチであって、該入力シャッターレリーズジャックと該出力シャッターレリーズジャックの間に接続された複数の隔離スイッチと、
該隔離スイッチに電力を提供するＤＣ入力と、
を包含する上記第１制御基板と、
該ＤＣ入力を提供する電源と、
単一ショート信号であって、該入力シャッターレリーズジャックを介して該隔離スイッチに伝送されて該隔離スイッチをアクティベートし、これにより複合ショート信号へと拡充され、及び該複合ショート信号は該出力シャッターレリーズジャックを介して出力され、これにより並列に接続された全てのカメラが同時にアクティベートされる、上記単一ショート信号と、
を包含することを特徴とする、隔離スイッチによりカメラシャッターレリーズケーブル信号を拡充する装置としている。
請求項２の発明は、請求項１記載の隔離スイッチによりカメラシャッターレリーズケーブル信号を拡充する装置において、該隔離スイッチはリレー或いはホトカプラーとされることを特徴とする、隔離スイッチによりカメラシャッターレリーズケーブル信号を拡充する装置としている。
請求項３の発明は、請求項１記載の隔離スイッチによりカメラシャッターレリーズケーブル信号を拡充する装置において、該単一ショート信号は、手動ボタン、制御装置或いはコンピュータにより生成されることを特徴とする、隔離スイッチによりカメラシャッターレリーズケーブル信号を拡充する装置としている。
請求項４の発明は、請求項１記載の隔離スイッチによりカメラシャッターレリーズケーブル信号を拡充する装置において、該第１制御基板と同じ複数の第２制御基板をさらに包含し、該第２制御基板は、並列に、第１制御基板に、該出力シャッターレリーズジャックを介して接続され、該電源は該ＤＣ入力を、該第１制御基板及び各該第２制御基板に提供し、該単一ショート信号は該第１制御基板に入力され、該第１制御基板の該出力シャッターレリーズジャックを介して出力される該複合ショート信号は、該第２制御基板の隔離スイッチにより複数の複合ショート信号に拡充され、これにより該第２制御基板の出力シャッターレリーズジャックに接続された全てのカメラを同時にアクティベートすることを特徴とする、隔離スイッチによりカメラシャッターレリーズケーブル信号を拡充する装置としている。
請求項５の発明は、隔離スイッチによりカメラシャッターレリーズケーブル信号を拡充する装置において、制御基板であって、
ＣＰＵと、
複数の出力シャッターレリーズジャックと、
該ＣＰＵと該出力シャッターレリーズジャックの間に接続された複数の隔離スイッチと、
該ＣＰＵに接続されたＵＳＢ  ＩＣと、
電力を該隔離スイッチ、ＵＳＢ  ＩＣ及びＣＰＵに提供するＤＣ入力と、
を包含する上記制御基板と、
該ＤＣ入力を提供する電源と、
コンピュータであって、該ＵＳＢ  ＩＣに、ＵＳＢケーブルを介して接続され、該ＣＰＵにコンピュータ命令を出力でき、そのうち、該ＣＰＵは該コンピュータ命令を、少なくとも一つの制御信号に変換し、こうして少なくとも一つの隔離スイッチをアクティベートして、単一或いは複合ショート信号を形成し、該単一或いは複合ショート信号は少なくとも一つの該出力シャッターレリーズジャックを介して出力され、これにより並列に接続されたカメラを個別に、部分的に、或いは一緒にアクティベートする、上記コンピュータと、
を包含することを特徴とする、隔離スイッチによりカメラシャッターレリーズケーブル信号を拡充する装置としている。
請求項６の発明は、請求項５記載の隔離スイッチによりカメラシャッターレリーズケーブル信号を拡充する装置において、そのうち該制御基板は、さらに、入力シャッターレリーズジャックを包含し、単一ショート信号は該入力シャッターレリーズジャックに入力されて該隔離スイッチをアクティベートでき、こうして該複合ショート信号へと拡充され、及び、該複合ショート信号は該出力シャッターレリーズジャックを介して出力されて、並列に接続された全てのカメラを同時にアクティベートできることを特徴とする、隔離スイッチによりカメラシャッターレリーズケーブル信号を拡充する装置としている。
請求項７の発明は、請求項５記載の隔離スイッチによりカメラシャッターレリーズケーブル信号を拡充する装置において、該コンピュータは、別のＣＰＵを具えたコントローラーとされ、該ＵＳＢ  ＩＣは、ＩＥＥＥ  １３９４コントロールＩＣ或いはＲＳ２３２コントロールＩＣとされることを特徴とする、隔離スイッチによりカメラシャッターレリーズケーブル信号を拡充する装置としている。
請求項８の発明は、請求項５記載の隔離スイッチによりカメラシャッターレリーズケーブル信号を拡充する装置において、該制御基板は複数設けられ、各該制御基板は、ＩＤ制御ユニットと、ＵＳＢケーブルを介して該コンピュータと並列に接続された複数の該制御基板を識別するために該ＩＤ制御ユニットに設けられたＩＤコードをさらに包含することを特徴とする、隔離スイッチによりカメラシャッターレリーズケーブル信号を拡充する装置としている。
請求項９の発明は、請求項８記載の隔離スイッチによりカメラシャッターレリーズケーブル信号を拡充する装置において、これら制御基板は、該コンピュータとＵＳＢケーブルを介して直接に、或いはＵＳＢハブで並列に接続され、及び該コンピュータは該コンピュータ命令を、該ＩＤコードにより選択された少なくとも一つの該制御基板に出力し、これにより選択された少なくとも一つの制御基板内のＣＰＵをイネーブルして該コンピュータ命令を少なくとも一つの制御信号へと変換して少なくとも一つの隔離スイッチをアクティベートして該単一或いは複合ショート信号を形成し、該単一或いは複合ショート信号は、選択された少なくとも一つの該制御基板内の少なくとも一つの該出力シャッターレリーズジャックを介して出力され、これにより該選択された制御基板に接続されたカメラを、個別に、部分的に、或いは一緒にアクティベートすることを特徴とする、隔離スイッチによりカメラシャッターレリーズケーブル信号を拡充する装置としている。
【発明の効果】
【０００７】
本発明はカメラシャッターレリーズケーブルの単一ショート信号を、良好な隔離、良好な安定性、及び十分な電圧レベルを有する複合ショート信号へと、複数の隔離スイッチを介して拡充することができる装置を提供し、これにより互いに並列に接続された複数のカメラを同時に制御できるようにする。或いは、本発明は、コンピュータ、ＵＳＢケーブル及びＣＰＵを介して、拡充複合ショート信号と、接続されたカメラを、個別に、部分的に、或いは一緒に制御できる装置を提供する。
【０００８】
これに対し、図５に示されるように、もし使用者が、手動ボタン１８を直接使用して、複数のカメラシャッターレリーズケーブル１９、２０、２１、２２、２３を介して互いに並列に接続された複数のカメラ２４、２５、２６、２７、２８を、信号隔離するためにいかなるリレー或いはホトカプラ、たとえば、これに限定されるわけではないが、金属酸化物半導体リレー（ＭＯＳリレー）も使わずに、直接に制御しようとすれば、これらのカメラのいくつか或いは全てがアクティベートされないかもしれず或いは損壊することさえあり、それは、信号間の干渉によりもたらされるインピーダンスの問題のためである。
【０００９】
たとえば、使用者が該手動ボタンを押して該カメラシャッターレリーズケーブルをショートアウトする時に、これらのカメラの電圧レベルが０．７Ｖより低い限り、カメラはアクティベートされてフォーカス或いはスナップする。
【００１０】
しかし、いくつかのカメラは、その電圧レベルが０．７Ｖより低くならなければ、アクティベートされず、フォーカス或いはスナップできず、これは、信号が互いに干渉されたことによる。ここで、カメラシャッターレリーズケーブルのショート信号は手動ボタンのみならず、別の制御装置或いはコンピュータ命令により生成可能である。
【図面の簡単な説明】
【００１１】
【図１】関係技術のアプローチを示し、そのうちコンピュータが直接的に単一カメラをＵＳＢケーブルを介して制御するために使用されている。
【図２】関係技術のアプローチを示し、そのうちコンピュータが直接的に複数のカメラを複数のＵＳＢケーブルと一つのＵＳＢハブを介して制御するために使用されている。
【図３】別の関係技術のアプローチを示し、そのうち手動ボタンとカメラシャッターレリーズケーブルがカメラを制御してスナップするのに直接的に使用されている。
【図４】関係技術において、フォーカスとスナップのための手動ボタンのショートポイントを示す。
【図５】関係技術において、複数のカメラを制御するための手動ボタンの派生の応用を示す。
【図６】本発明のカメラシャッターレリーズケーブルの単一ショート信号を拡充して複合ショート信号となし複数のカメラを制御して同時にフォーカス及びスナップする実施例の表示図である。
【図７】本発明のカメラシャッターレリーズケーブルの単一ショート信号或いはコンピュータ命令を拡充して複合ショート信号となし複数のカメラを制御して同時にフォーカス及びスナップする別の実施例の表示図である。
【図８】本発明のカメラシャッターレリーズケーブルの単一ショート信号を、並列に接続された複数の制御基板を介して拡充して複合ショート信号となし複数のカメラを制御して同時にフォーカス及びスナップする別の実施例の表示図である。
【図９】本発明のコンピュータ命令を、並列に接続された複数の制御基板を介して拡充して複合ショート信号となし複数のカメラを制御してフォーカス及びスナップする別の実施例の表示図である。
【発明を実施するための形態】
【００１２】
本発明の技術内容、構造特徴、達成する目的を詳細に説明するため、以下に実施例を挙げ並びに図面を組み合わせて説明する。
【００１３】
図６は本発明のカメラシャッターレリーズケーブルの単一ショート信号を拡充して複合ショート信号となし複数のカメラを制御して同時にフォーカス及びスナップする実施例の表示図である。
【００１４】
電源３０は制御基板２９（或いは別の制御装置）に電力を提供し、該電力は、制御基板２９により５Ｖ直流電流（以下、ＤＣと称する）入力３２に変換され、それからフォーカス用の複数の隔離スイッチ３４、３６、３８、４０、４２と、スナップ用の複数の隔離スイッチ３５、３７、３９、４１、４３に供給される。
【００１５】
手動ボタン、別の制御装置或いはコンピュータ命令により生成される単一ショート信号３１は、フォーカスとスナップのために、シャッターレリーズジャック３３を介し、これら隔離スイッチ３４〜４３に送られ、こうして良好な隔離、良好な安定性及び十分な電圧レベルを有する複合ショート信号へと拡充される。
【００１６】
それから、該複合ショート信号は、それぞれ複数のシャッターレリーズジャック４４、４５、４６、４７、４８を介して並列接続された複数のカメラ４９、５０、５１、５２、５３に伝送され、こうして、これらカメラ４９、５０、５１、５２、５３を同時にアクティベートしてフォーカス又はスナップする。こうして、各隔離スイッチはリレー或いはフォトカプラにより実施可能である。
【００１７】
図７は本発明のカメラシャッターレリーズケーブルの単一ショート信号或いはコンピュータ命令を拡充して複合ショート信号となし複数のカメラを制御して同時にフォーカス及びスナップする別の実施例の表示図である。
【００１８】
電源５６は電力を制御基板５４（或いは別の制御装置）に提供し、該電力は５Ｖ  ＤＣ入力５９に、電源コード６３により変換され、それから制御基板５４に設けられた全てのコンポーネントに供給される。
【００１９】
手動ボタン或いは別の制御装置により生成された単一ショート信号５７は、隔離スイッチ７９−８８に、順に信号ケーブル６４、シャッターレリーズジャック６１（フォーカス及びスナップ用）及び信号ケーブル６７を介して送られて、これら隔離スイッチ７９−８８をアクティベートし、こうして、良好な隔離、良好な安定性及び十分な電圧レベルを有する複合ショート信号へと拡充される。
【００２０】
それから、該複合ショート信号は、順に、複数の信号ケーブル８９〜９８、複数のシャッターレリーズジャック９９〜１０３、複数の信号ケーブル１０４〜１０８を介して並列に接続された複数のカメラ１０９〜１１３にそれぞれ伝送され、こうして、カメラ１０９〜１１３を同時にアクティベートしてフォーカス及びスナップし、及び、本実施例におけるここまでの説明は、図６に記載されたものに類似する。
【００２１】
或いは、コンピュータ５５により提供されるコンピュータ命令が、順に、ＵＳＢケーブル６２、ＵＳＢ集積回路（以後、ＩＣと称する）５８及び信号ケーブル６５を介してＣＰＵ６８に伝送されて、それから、該ＣＰＵ６８が該コンピュータ命令を少なくとも一つの制御信号に変換する。
【００２２】
それから、該制御信号は、該ＣＰＵの特定の少なくとも一つの出力ポートと特定の少なくとも一つの信号ケーブル６９〜７８を順に介して特定の少なくとも一つの隔離スイッチ７９〜８８に伝送され（フォーカス及びスナップ用）、こうして、単一或いは複合ショート信号を形成する。
【００２３】
最後に、該単一或いは該複合ショート信号はそれぞれ特定の少なくとも一つのカメラ１０９〜１１３に、特定の少なくとも一つの信号ケーブル８９〜９８、特定の少なくとも一つのシャッターレリーズジャック９９〜１０３、及び特定の少なくとも一つの信号ケーブル１０４〜１０８を介して送られ、こうして、並列接続されたこれらカメラ１０９〜１１３が、個別に、部分的に、或いは一緒にアクティベートされてフォーカス又はスナップする。
【００２４】
ここにおいて、上に説明されたコンピュータは、さらにＣＰＵを具えたコントローラーとされ得て、該ＵＳＢ  ＩＣ５８は、他の任意のタイプのコントロールＩＣ、たとえばＩＥＥＥ  １３９４コントロールＩＣ或いはＲＳ２３２  コントロールＩＣとされ得る。
言い換えると、手動ボタン或いは別の制御装置により生成された単一ショート信号５７が入力される時、操作結果は図６に示されるものと類似となる。すなわち、これらカメラ１０９〜１１３は同時にアクティベートされてフォーカス及びスナップするが、該コンピュータ５５は当時は操作されることはできない。
【００２５】
これに対して、コンピュータ５５により生成されたコンピュータ命令が入力される時、手動ボタン或いは別のコントロール装置は単一ショート信号を生成しない。言い換えると、コンピュータ５５により生成されるコンピュータ命令と手動ボタン或いは別の制御装置により生成される単一ショート信号５７の間で選択される必要がある。
【００２６】
さらに、信号ケーブル６６を介してＣＰＵ６８に接続されたＩＤ制御ユニット６０が、複数の制御基板５４が並列に接続されている場合、制御基板の識別においてコンピュータ５５を補助するために使用され得る。該ＩＤ制御ユニット６０は、ディップスイッチ或いはメモリーＩＣとされ得る。要するに、手動ボタン或いは別の制御装置により生成された単一ショート信号５７が入力される時（コンピュータは、この時操作不能である）、該単一ショート信号５７は、隔離スイッチ７９〜８８を介して複合ショート信号へと拡充され、同時にこれらカメラ１０９〜１１３をアクティベートしてフォーカス及びスナップする。
【００２７】
これに対して、コンピュータ５５が生成したコンピュータ命令が入力される時（手動ボタン及び別の制御装置は、この時操作不能である）、該ＣＰＵ６８は、どの隔離スイッチ７９〜８８がアクティベートされるべきかを、コンピュータ命令に基づき識別し、それからコンピュータ命令を少なくとも一つの制御信号に変換し、こうしてこれらカメラ１０９〜１１３を、個別に、或いは一部を、或いは一緒に制御する。
【００２８】
図８は本発明のカメラシャッターレリーズケーブルの単一ショート信号を、並列に接続された複数の制御基板を介して拡充して複合ショート信号となし複数のカメラを制御して同時にフォーカス及びスナップする別の実施例の表示図である。要するに、図８には図６に示される制御基板２９と同じ複数の制御基板を並列に接続した装置が示され、これにより、該装置を具えたより多くのカメラが接続され、そしてこれらカメラが同時にアクティベートされてフォーカス及びスナップする。
【００２９】
制御基板１１５の複数の出力シャッターレリーズジャック１２２〜１２６は、制御基板１１６〜１２０の複数の入力シャッターレリーズジャック１５２〜１５６にそれぞれ接続され、電源１１４はこれら制御基板１１５〜１２０に電力を提供する。
【００３０】
単一ショート信号１２１が入力される時、該出力シャッターレリーズジャック１２２〜１２６に拡充された複合ショート信号は、さらに制御基板１１６〜１２０の該出力シャッターレリーズジャック１９５〜２１９に至る複数の複合ショート信号に拡充されて、これにより該出力シャッターレリーズジャック１９５〜２１９に接続されたカメラ１２７〜１５１を同時にアクティベートしてフォーカス又はスナップする。言い換えると、単一ショート信号１２１が入力される時、全てのカメラ１２７〜１５１が同時にアクティベートされる。
【００３１】
図９は本発明のコンピュータ命令を、並列に接続された複数の制御基板を介して拡充して複合ショート信号となし複数のカメラを制御してフォーカス及びスナップする別の実施例の表示図である。
【００３２】
要するに、複数の制御基板１５９〜１６３は図７に示される制御基板５４と同じであり、コンピュータ１５７は、これら制御基板１５９〜１６３に、直接、或いはＵＳＢケーブル２２０〜２２４を介してＵＳＢハブ１５８と共に並列に接続され、電源１６４が電力をコンピュータ１５７、ＵＳＢハブ１５８及び制御基板１５９〜１６３に提供する。
【００３３】
制御基板１５９内のＩＤ制御ユニット１６５のＩＤコードは００００であり、制御基板１６０中のＩＤ制御ユニット１６６は０００１であり、制御基板１６１中のＩＤ制御ユニット１６７のＩＤコードは００１０であり、制御基板１６２中のＩＤ制御ユニット１６８のＩＤコードは００１１であり、制御基板１６３中のＩＤ制御ユニット１６９のＩＤコードは０１００である。
【００３４】
コンピュータ１５７がコンピュータ命令を提供する時、該コンピュータ命令は、制御基板１５９〜１６３に、ＵＳＢハブ１５８を介して伝送され、そのうち、該コンピュータ１５７は、ＵＳＢケーブル２２０〜２２４を介して直接或いはＵＳＢハブ１５８と共に、制御基板１５９〜１６３と並列に接続される。
【００３５】
次に、コンピュータ１５７は、ＩＤ制御ユニット１６５〜１６９において、ＩＤコード００００、０００１、００１０、００１１及び０１００により、制御基板１５９〜１６３の少なくとも一つにコンピュータ命令を選択並びに提供し、これにより選択された少なくとも一つの制御基板１５９〜１６３のＣＰＵをイネーブルしてコンピュータ命令を少なくとも一つの制御信号に変換して選択された少なくとも一つの制御基板１５９〜１６３内の少なくとも一つの隔離スイッチをアクティベートし、及び、このように単一或いは複合ショート信号を形成する。
【００３６】
その後、単一ショート信号或いは複合ショート信号は選択された少なくとも一つの制御基板１５９〜１６３内の少なくとも一つの出力シャッターレリーズジャックを介して出力され、これにより、少なくとも一つの制御基板１５９〜１６３に並列に接続されたカメラ１７０〜１９４を、個別に、部分的に、或いは一緒にアクティベートする。
【００３７】
言い換えると、制御基板はその異なるＩＤコードにより選択される。たとえば、ＩＤ制御ユニット１６５内のＩＤコード００００が選択されるなら、コンピュータ１５７は制御基板１５９を制御して、コンピュータにより提供された単一コンピュータ命令を、複合ショート信号に変換し、及び該複合ショート信号を該制御基板１５９上の出力シャッターレリーズジャックに伝送し、こうして、制御基板１５９と並列に接続されたカメラ１７０〜１７４を制御する。
【００３８】
同様に、ＩＤコード０００１、００１０、００１１、０１００はそれぞれ制御基板１６０〜１６３及びこれら制御基板１６０〜１６３に並列に接続されたカメラを制御するために使用され得て、こうして、選択された制御基板１５９〜１６３に接続されたカメラ１７０〜１９４が、個別に、部分的に、或いは一緒に制御される。
【００３９】
上述の実施例において、コンピュータ１５７は制御基板１５９〜１６３とＵＳＢハブ１５８を介して接続される。しかしながら、他の実施例では、コンピュータ１５７は直接制御基板１５９〜１６３に、ＵＳＢケーブル２２０〜２２４を介して接続されてもよい。
【００４０】
以上述べたことは、本発明の実施例にすぎず、本発明の実施の範囲を限定するものではなく、本発明の特許請求の範囲に基づきなし得る同等の変化と修飾は、いずれも本発明の権利のカバーする範囲内に属するものとする。
【符号の説明】
【００４１】
１  コンピュータ
２  ＵＳＢケーブル
３  カメラ
５  ＵＳＢケーブル
６  ＵＳＢハブ
７、８、９、１０  ＵＳＢケーブル
１１、１２、１３、１４  カメラ
１７  カメラ
１６  カメラシャッターレリーズケーブル
１５  手動ボタン
１７  カメラ
Ａ、Ｂ、Ｃ  コンタクト
３０  電源
２９  制御基板
３２  ＤＣ入力
３４、３６、３８、４０、４２  隔離スイッチ
３５、３７、３９、４１、４３  隔離スイッチ
３１  単一ショート信号
３３  シャッターレリーズジャック
４４、４５、４６、４７、４８  シャッターレリーズジャック
４９、５０、５１、５２、５３  カメラ
５６  電源
５４  制御基板
５９  ＤＣ入力
６３  電源コード
５７  単一ショート信号
７９〜８８  隔離スイッチ
６４  信号ケーブル
６１  シャッターレリーズジャック
６７  信号ケーブル
８９〜９８  信号ケーブル
９９〜１０３  シャッターレリーズジャック
１０４〜１０８  信号ケーブル
１０９〜１１３  カメラ
５５  コンピュータ
６２  ＵＳＢケーブル
５８  ＵＳＢ  ＩＣ
６５  信号ケーブル
６８  ＣＰＵ
６９〜７８  信号ケーブル
７９〜８８  隔離スイッチ
１０９〜１１３  カメラ
６６  信号ケーブル
６０  ＩＤ制御ユニット
５４  制御基板
１１５    制御基板
１２２〜１２６  出力シャッターレリーズジャック
１１６〜１２０  制御基板
１５２〜１５６  入力シャッターレリーズジャック
１１４  電源
１２１  単一ショート信号
１９５〜２１９  出力シャッターレリーズジャック
１２７〜１５１  カメラ
１５９〜１６３  制御基板
１５７  コンピュータ
２２０〜２２４  ＵＳＢケーブル
１５８  ＵＳＢハブ
１６４  電源
１６６、１６７、１６８、１６９  ＩＤ制御ユニット
１７０〜１９４  カメラ
【図１】
2014041258.tif 000003
【図２】
2014041258.tif 000004
【図３】
2014041258.tif 000005
【図４】
2014041258.tif 000006
【図５】
2014041258.tif 000007
【図６】
2014041258.tif 000008
【図７】
2014041258.tif 000009
【図８】
2014041258.tif 000010
【図９】
2014041258.tif 000011
【手続補正書】
【提出日】平成25年11月5日(2013.11.5)
【手続補正１】
【補正対象書類名】明細書
【補正対象項目名】０００６
【補正方法】変更
【補正の内容】
【０００６】
請求項１の発明は、隔離スイッチによりカメラシャッターレリーズケーブル信号を拡充する装置において、制御基板であって、
ＣＰＵと、
複数の出力シャッターレリーズジャックと、
該ＣＰＵと該出力シャッターレリーズジャックの間に接続された複数の隔離スイッチと、
該ＣＰＵに接続されたＵＳＢ  ＩＣと、
電力を該隔離スイッチ、ＵＳＢ  ＩＣ及びＣＰＵに提供するＤＣ入力と、
を包含する上記制御基板と、
該ＤＣ入力を提供する電源と、
コンピュータであって、該ＵＳＢ  ＩＣに、ＵＳＢケーブルを介して接続され、該ＣＰＵにコンピュータ命令を出力でき、そのうち、該ＣＰＵは該コンピュータ命令を、少なくとも一つの制御信号に変換し、こうして少なくとも一つの隔離スイッチをアクティベートして、単一或いは複合ショート信号を形成し、該単一或いは複合ショート信号は少なくとも一つの該出力シャッターレリーズジャックを介して出力され、これにより並列に接続されたカメラを個別に、部分的に、或いは一緒にアクティベートする、上記コンピュータと、
を包含することを特徴とする、隔離スイッチによりカメラシャッターレリーズケーブル信号を拡充する装置としている。
請求項２の発明は、請求項１記載の隔離スイッチによりカメラシャッターレリーズケーブル信号を拡充する装置において、そのうち該制御基板は、さらに、入力シャッターレリーズジャックを包含し、単一ショート信号は該入力シャッターレリーズジャックに入力されて該隔離スイッチをアクティベートでき、こうして該複合ショート信号へと拡充され、及び、該複合ショート信号は該出力シャッターレリーズジャックを介して出力されて、並列に接続された全てのカメラを同時にアクティベートできることを特徴とする、隔離スイッチによりカメラシャッターレリーズケーブル信号を拡充する装置としている。
請求項３の発明は、請求項１記載の隔離スイッチによりカメラシャッターレリーズケーブル信号を拡充する装置において、該コンピュータは、ＣＰＵを具えたコントローラーに置換され、該ＵＳＢ  ＩＣは、ＩＥＥＥ  １３９４コントロールＩＣ或いはＲＳ２３２コントロールＩＣに置換されることを特徴とする、隔離スイッチによりカメラシャッターレリーズケーブル信号を拡充する装置としている。
請求項４の発明は、請求項１記載の隔離スイッチによりカメラシャッターレリーズケーブル信号を拡充する装置において、該制御基板は複数設けられ、各該制御基板は、ＩＤ制御ユニットと、ＵＳＢケーブルを介して該コンピュータと並列に接続された複数の該制御基板を識別するために該ＩＤ制御ユニットに設けられたＩＤコードをさらに包含することを特徴とする、隔離スイッチによりカメラシャッターレリーズケーブル信号を拡充する装置としている。
請求項５の発明は、請求項４記載の隔離スイッチによりカメラシャッターレリーズケーブル信号を拡充する装置において、これら制御基板は、該コンピュータとＵＳＢケーブルを介して直接に、或いはＵＳＢハブで並列に接続され、及び該コンピュータは該コンピュータ命令を、該ＩＤコードにより選択された少なくとも一つの該制御基板に出力し、これにより選択された少なくとも一つの制御基板内のＣＰＵをイネーブルして該コンピュータ命令を少なくとも一つの制御信号へと変換して少なくとも一つの隔離スイッチをアクティベートして該単一或いは複合ショート信号を形成し、該単一或いは複合ショート信号は、選択された少なくとも一つの該制御基板内の少なくとも一つの該出力シャッターレリーズジャックを介して出力され、これにより該選択された制御基板に接続されたカメラを、個別に、部分的に、或いは一緒にアクティベートすることを特徴とする、隔離スイッチによりカメラシャッターレリーズケーブル信号を拡充する装置としている。
【手続補正２】
【補正対象書類名】特許請求の範囲
【補正対象項目名】全文
【補正方法】変更
【補正の内容】
【特許請求の範囲】
【請求項１】
隔離スイッチによりカメラシャッターレリーズケーブル信号を拡充する装置において、  制御基板であって、
ＣＰＵと、
複数の出力シャッターレリーズジャックと、
該ＣＰＵと該出力シャッターレリーズジャックの間に接続された複数の隔離スイッチと、
該ＣＰＵに接続されたＵＳＢ  ＩＣと、
電力を該隔離スイッチ、ＵＳＢ  ＩＣ及びＣＰＵに提供するＤＣ入力と、
を包含する上記制御基板と、
該ＤＣ入力を提供する電源と、
コンピュータであって、該ＵＳＢ  ＩＣに、ＵＳＢケーブルを介して接続され、該ＣＰＵにコンピュータ命令を出力でき、そのうち、該ＣＰＵは該コンピュータ命令を、少なくとも一つの制御信号に変換し、こうして少なくとも一つの隔離スイッチをアクティベートして、単一或いは複合ショート信号を形成し、該単一或いは複合ショート信号は少なくとも一つの該出力シャッターレリーズジャックを介して出力され、これにより並列に接続されたカメラを個別に、部分的に、或いは一緒にアクティベートする、上記コンピュータと、
を包含することを特徴とする、隔離スイッチによりカメラシャッターレリーズケーブル信号を拡充する装置。
【請求項２】
請求項１記載の隔離スイッチによりカメラシャッターレリーズケーブル信号を拡充する装置において、そのうち該制御基板は、さらに、入力シャッターレリーズジャックを包含し、単一ショート信号は該入力シャッターレリーズジャックに入力されて該隔離スイッチをアクティベートでき、こうして該複合ショート信号へと拡充され、及び、該複合ショート信号は該出力シャッターレリーズジャックを介して出力されて、並列に接続された全てのカメラを同時にアクティベートできることを特徴とする、隔離スイッチによりカメラシャッターレリーズケーブル信号を拡充する装置。
【請求項３】
請求項１記載の隔離スイッチによりカメラシャッターレリーズケーブル信号を拡充する装置において、該コンピュータは、ＣＰＵを具えたコントローラーに置換され、該ＵＳＢ  ＩＣは、ＩＥＥＥ  １３９４コントロールＩＣ或いはＲＳ２３２コントロールＩＣに置換されることを特徴とする、隔離スイッチによりカメラシャッターレリーズケーブル信号を拡充する装置。
【請求項４】
請求項１記載の隔離スイッチによりカメラシャッターレリーズケーブル信号を拡充する装置において、該制御基板は複数設けられ、各該制御基板は、ＩＤ制御ユニットと、ＵＳＢケーブルを介して該コンピュータと並列に接続された複数の該制御基板を識別するために該ＩＤ制御ユニットに設けられたＩＤコードをさらに包含することを特徴とする、隔離スイッチによりカメラシャッターレリーズケーブル信号を拡充する装置。
【請求項５】
請求項４記載の隔離スイッチによりカメラシャッターレリーズケーブル信号を拡充する装置において、これら制御基板は、該コンピュータとＵＳＢケーブルを介して直接に、或いはＵＳＢハブで並列に接続され、及び該コンピュータは該コンピュータ命令を、該ＩＤコードにより選択された少なくとも一つの該制御基板に出力し、これにより選択された少なくとも一つの制御基板内のＣＰＵをイネーブルして該コンピュータ命令を少なくとも一つの制御信号へと変換して少なくとも一つの隔離スイッチをアクティベートして該単一或いは複合ショート信号を形成し、該単一或いは複合ショート信号は、選択された少なくとも一つの該制御基板内の少なくとも一つの該出力シャッターレリーズジャックを介して出力され、これにより該選択された制御基板に接続されたカメラを、個別に、部分的に、或いは一緒にアクティベートすることを特徴とする、隔離スイッチによりカメラシャッターレリーズケーブル信号を拡充する装置。